(57)【要約】本発明はＧＳＭのようなネットワークへの移動体機器のアクセスを制御する方法および装置に関する。移動体機器はアクセス制御クラス（ＡＣＣ）に属し、拡張アクセス制御を提供するため、付加的アクセス制御クラス（ＥＡＣＣ）にも属する。この装置は、システム情報を移動体機器に同報する。このシステム情報はアクセス制御クラス（ＡＣＣ）に属する移動体機器がネットワークにアクセスすることを許可するか、または禁止するかを示す。システム情報はさらに、拡張アクセス制御クラス（ＥＡＣＣ）にも属する移動体機器がネットワークにアクセスすることを許可するか、またはネットワークへのアクセスを制限するかを示す。種々のアクセスを制限する方法が提供される。１つの例は、移動体機器が通信を開始することを遮断し、ネットワークにより開始される通信を移動体機器に許可することである。別の例は、ネットワークにより開始される通信を移動体機器が行わないようにし、移動体機器に通信を開始することを許可することである。更に別の例は、移動体機器が通信を開始することを遮断するとともに、ネットワークにより開始される通信を移動体機器が行わないようにすることである。ネットワークにより開始される通信が遮断される移動体機器にはネットワークからの呼出に対する応答は許可されない。【特許請求の範囲】
【請求項１】
複数のアクセス制御クラス（ＡＣＣ）の１つに属するように構成されており、複数の拡張アクセス制御クラス（ＥＡＣＣ）の１つに属するようにさらに構成されている移動体機器（２）のネットワーク（１）へのアクセスを制御する前記移動体機器（２）における方法であって、前記方法は、
ＡＣＣを示す第１の指標とＥＡＣＣを示す第２の指標とを含むシステム情報メッセージ（３）を受信する工程（６１）と、
前記受信した第１の指標と前記受信した第２の指標との内の少なくともいずれかに基づいて、前記ネットワーク（１）へのアクセスを制御する工程（６２）とを有することを特徴とする方法。
【請求項２】
前記制御する工程（６２）は、
前記第１の指標に基づいて、前記移動体機器（２）に前記ネットワークへのアクセスが許可されるかどうかを判断する工程（６３）と、
前記許可がされる場合、前記第２の指標に基づいて、前記移動体機器（２）に前記ネットワーク（１）へのアクセスが許可されるか、または、制限されるかを判断する工程（６４）とを有することを特徴とする請求項１に記載の方法。
【請求項３】
前記判断する工程（６３，６４）は、
前記第１の指標がＡＣＣに構成設定される移動体機器と同じＡＣＣを示すかどうかを判断する工程（６３）と、
前記第１の指標が同じＡＣＣを示す場合、前記第２の指標がＥＡＣＣに構成設定される移動体機器と同じＥＡＣＣを示すかどうかを判断する工程（６４）とを有することを特徴とする請求項２に記載の方法。
【請求項４】
前記第２の指標が前記移動体機器（２）に前記ネットワーク（１）へのアクセスの制限的許可がなされたことを示す場合、前記移動体機器を制限的アクセスに構成設定する工程（６２）をさらに含むことを特徴とする請求項１乃至３のいずれか１項に記載の方法。
【請求項５】
前記構成設定する工程（６２）は、
移動体の開始する通信を遮断する工程（６３Ａ）と、
ネットワークの開始する通信を許可する工程（６４Ａ）とを有することを特徴とする請求項４に記載の方法。
【請求項６】
前記構成設定する工程（６２）は、
移動体の開始する通信を許可する工程（６３Ｂ）と、
ネットワークの開始する通信を遮断する工程（６４Ｂ）とを有することを特徴とする請求項４に記載の方法。
【請求項７】
前記構成設定する工程（６２）は、
移動体の開始する通信を遮断する工程（６３Ａ）と、
ネットワークの開始する通信を遮断する工程（６４Ｂ）とを有することを特徴とする請求項４に記載の方法。
【請求項８】
複数のアクセス制御クラス（ＡＣＣ）の１つに属するように構成されており、複数の拡張アクセス制御クラス（ＥＡＣＣ）の１つに属するようにさらに構成されている移動体機器（２）であって、
ＡＣＣを示す第１の指標とＥＡＣＣを示す第２の指標とを含むシステム情報メッセージを受信する受信手段（２１）と、
前記受信された第１の指標と前記受信された第２の指標との内の少なくともいずれかに基づいて、ネットワークへのアクセスを制御する制御手段（２２）とを有することを特徴とする移動体機器。
【請求項９】
前記制御手段（２２）はさらに、
前記第１の指標に基づいて、前記移動体機器（２）が前記ネットワーク（１）へのアクセスが許可されるかどうかを判断する第１の判断手段（２３）と、
前記第２の指標に基づいて、前記移動体機器（２）が前記ネットワーク（１）へのアクセスが許可されるか、或いは、アクセス制限されるかを判断する第２の判断手段（２４）とを有することを特徴とする請求項８に記載の移動体機器。
【請求項１０】
前記制御手段（２２）は、前記ネットワーク（１）へのアクセスを制限する制限手段（２５）を含むことを特徴とする請求項８又は９に記載の移動体機器。
【請求項１１】
前記制限手段（２５）は、前記移動体機器（２）が通信を開始することを遮断し、前記ネットワーク（１）により開始された通信について前記ネットワークへのアクセスを前記移動体機器（２）に許可するように適合されていることを特徴とする請求項１０に記載の移動体機器。
【請求項１２】
前記制限手段（２５）は、前記ネットワーク（１）により開始された通信を前記移動体機器（２）が行わせないようにし、前記移動体機器（２）に通信を開始させることを許可するように適合されていることを特徴とする請求項１０に記載の移動体機器。
【請求項１３】
前記制限手段（２５）は、前記移動体機器（２）により開始される通信を遮断し、前記ネットワーク（１）により開始された通信を前記移動体機器（２）が行うことを遮断するように適合されていることを特徴とする請求項１０に記載の移動体機器。
【請求項１４】
前記受信手段（２１）は、トランシーバ、受信器、或いは、受信器回路であることを特徴とする請求項８乃至１３のいずれか１項に記載の移動体機器。
【請求項１５】
前記制御手段（２２）は、中央処理装置、処理回路、或いは、受信器回路の一部であることを特徴とする請求項８乃至１４のいずれか１項に記載の移動体機器。
【請求項１６】
複数のアクセス制御クラス（ＡＣＣ）の１つに属するように構成されており、複数の拡張アクセス制御クラス（ＥＡＣＣ）の１つに属するようにさらに構成されている移動体機器（２）のネットワーク（１）へのアクセスを制御する構成における方法であって、前記方法は、
前記ネットワーク（１）への前記移動体機器のアクセスを制御するために前記移動体機器により使用される、ＡＣＣを示す第１の指標とＥＡＣＣを示す第２の指標とを含むシステム情報メッセージ（３）を前記移動体機器へ同報する工程（７２）を有することを特徴とする方法。
【請求項１７】
前記システム情報メッセージ（３）を同報する工程（７２）の前に、前記システム情報メッセージ（３）を受信する工程（７１Ｂ）をさらに有することを特徴とする請求項１６に記載の方法。
【請求項１８】
前記システム情報メッセージ（３）を同報する工程（７２）の前に、前記システム情報メッセージ（３）を作成する工程をさらに有することを特徴とする請求項１６に記載の方法。
【請求項１９】
トラフィック負荷を判断する工程と、
前記判断されたトラフィック負荷に基づいて、少なくとも前記第２の指標を判断する工程とをさらに有することを特徴とする請求項１６乃至１８のいずれか１項に記載の方法。
【請求項２０】
ネットワークから開始される通信から遮断されると判断される移動体機器についての識別情報と、そのような移動体機器の呼出メッセージアドレスとの相関をとる工程（７３）をさらに有することを特徴とする請求項１９に記載の方法。
【請求項２１】
ネットワークから開始される通信から遮断されると判断される移動体機器についての呼出メッセージを廃棄する工程（７４）をさらに有することを特徴とする請求項２０に記載の方法。
【請求項２２】
複数のアクセス制御クラス（ＡＣＣ）の１つに属するように構成されており、複数の拡張アクセス制御クラス（ＥＡＣＣ）の１つに属するようにさらに構成されている移動体機器（２）のネットワーク（１）へのアクセスを制御する装置であって、前記装置は、
前記ネットワーク（１）への前記移動体機器のアクセスを制御するために前記移動体機器により使用される、ＡＣＣを示す第１の指標とＥＡＣＣを示す第２の指標とを含むシステム情報メッセージ（３）を前記移動体機器（２）に同報する手段（５１）を有することを特徴とする装置。
【請求項２３】
前記システム情報メッセージ（３）を同報する前に、前記システム情報メッセージを受信する受信手段（５４）をさらに有することを特徴とする請求項２２に記載の装置。
【請求項２４】
前記システム情報メッセージを同報する前に、前記システム情報メッセージを作成する作成手段（５３）をさらに有することを特徴とする請求項２２に記載の装置。
【請求項２５】
トラフィック負荷を判断する手段（５５，１５）と、
前記判断されたトラフィック負荷に基づいて、少なくとも前記第１の指標を判断する第１の判断手段（６１）と、
前記判断されたトラフィック負荷に基づいて、少なくとも前記第２の指標を判断する第２の判断手段（６２）とをさらに有することを特徴とする請求項２２乃至２４のいずれか１項に記載の装置。
【請求項２６】
呼出メッセージを処理する処理手段（５６）をさらに有し、
前記処理手段（５６）は、ネットワークにより開始された通信から遮断されると判断された移動体機器についての識別情報と、そのような移動体機器への呼出メッセージのアドレスとの相関をとる相関手段（５６ａ）を含むことを特徴とする請求項２５に記載の装置。
【請求項２７】
前記処理手段はさらに、ネットワークにより開始された通信から遮断されると判断された移動体機器についての呼出メッセージを廃棄する廃棄手段（５７）をさらに含むことを特徴とする請求項２６に記載の装置。
【請求項２８】
前記装置は、基地局制御装置（１２）と無線基地局（１１）、或いは、無線ネットワーク制御装置とノードＢとを有することを特徴とする請求項２２乃至２７のいずれか１項に記載の装置。
【請求項２９】
前記装置は、ｅノードＢであることを特徴とする請求項２２乃至２７のいずれか１項に記載の装置。
【発明の詳細な説明】
【技術分野】
【０００１】
本発明は、通信システムにおける方法および装置、特に、アクセス制御方法および装置に関する。
【背景技術】
【０００２】
ネットワークを使用してサーバまたは他デバイスと通信する浸透力の高いデバイスを有するセルラネットワークはインタフェースに多量のシグナリングを行い、利用可能なシステム資源を浪費するデバイスにより過負荷になることがある。データ伝送を直ちに行うか、または数分若しくはそれ以上長く待つかは問題でないという意味で、多くのこれらデバイスは時間要求の厳しくないデバイスであろう。
【０００３】
本願では、発明の概念を一般にＧＳＭネットワークにおいて例示するが、ＵＭＴＳまたはＬＴＥのような他の３ＧＰＰ無線アクセス技術にも適用できる。
【０００４】
異なるタイプの移動体機器が無線アクセスネットワークの同一通信資源を使用し、幾つかの移動体機器は他の移動体機器により生じる高トラフィックによりネットワークにアクセスできないことがある。移動体機器の幾人かのユーザ、例えば、電話をかけるユーザは通信拒否により敏感である一方、例えば、データを伝送するマシーンタイプの他の通信ユーザはデータ伝送が遅延してもネガティブな影響を受けないであろう。
【０００５】
今日のＧＳＭネットワークでは、時間要求の厳しくない通信アクセス試行は時間要求の厳しい通信アクセス試行と衝突することがある。これは、時間要求の厳しくない通信に対して行うアクセス試行により発生するシグナリングインタフェースの大きな負荷により、音声呼のような重要なトラフィックが失われる過負荷状態に至ることがある。
【０００６】
ＧＳＭ（登録商標）は所謂アクセス制御クラス（ＡＣＣ）を含むアクセス制御機構を有する。ＧＳＭでは、ＳＩＭ（非特許文献１のセクション１０．５．２．２９（ＲＡＣＨ制御パラメータ）参照）に符号化する「アクセス制御クラス」を各移動体機器に割り当てる。アクセス制御クラス制御パラメータはシステム情報メッセージの一部として同報される。そのパラメータは、移動体機器のクラスにネットワークアクセスを許可するか、または禁止するかを指定する。アクセス禁止クラスに属する移動体にはネットワークへのアクセスバースト送信が許可されない。即ち、移動体は呼の開始若しくは呼出応答はできないが、それでもシステム情報などは読出しすることはできる。アクセスクラス（一般加入に使用するアクセス制御クラス０〜９）をランダムに割り当てる。
【先行技術文献】
【非特許文献】
【０００７】
【非特許文献１】３ＧＰＰ  ＴＳ  ４４．０１８
【発明の概要】
【発明が解決しようとする課題】
【０００８】
これらのクラスは、高トラフィック負荷の間、アクセスを制限するために使用される。例えば、ネットワーク運用者はランダムに１０のクラスの内、２つのクラスの禁止により２０パーセントの移動体機器のアクセスを遮断できる。ネットワークは次いでシステム情報メッセージを作成することとし、２つのアクセス禁止クラスパラメータを変更し、これらのクラスの禁止指示を設定する。システム情報を受信するデバイスは、これに応じてそのアクセス設定を調整し、禁止クラスに属するデバイスはアクセスバースト送信によるシグナリングを開始しないであろうし、ネットワークからの呼出メッセージに応答しないであろう。
【０００９】
同報されるシステム情報メッセージは、チャネル情報、アクセス情報、位置情報、基地局識別情報などを含む。ＧＳＭシステムでは、ＢＳＳ（基地局サブシステム）は移動体機器にシステム情報メッセージを同報する。ＢＳＳはＢＳＣ（基地局制御装置）およびＢＴＳ（無線基地局）を含み、システム情報メッセージをＢＳＣで作成し、ＢＴＳを介してＭＳ（移動体機器）に伝送し、ＢＴＳは同報でシステム情報メッセージを移動体機器に送信する。各移動体機器はシステムメッセージを受信し、これに応じてその設定を調整する。
【００１０】
ＵＭＴＳおよびＬＴＥシステムでは、基地局のそれぞれはシステム情報メッセージを作成し、同報としてシステム情報メッセージをデバイスに送信する。各デバイスはその設定を調整し、続いて設定に従い信号を送信する。
【課題を解決するための手段】
【００１１】
以上に概説したように、改良した方法および装置を提供し、課題と取り組むのが目的である。
【００１２】
時間要求の厳しい通信と時間要求の厳しくない通信を必要とする移動体機器を識別し、時間要求の厳しい通信を許可するが、時間要求の厳しくないデータ通信へのアクセス試行を遮断できるツールを提供することも目的である。
【００１３】
これらおよびその他の目的は、ここで説明するような方法と装置により達成される。
【００１４】
従って、（発明の詳細な説明において「拡張アクセス制御クラス」と表す）新規アクセスクラス識別情報を作成する。その識別情報は、移動体機器の付加的アクセス制御クラスを提供し、加入サービスレベルの合意に関して割り当てられる。例えば、時間要求の厳しい通信を有する移動体機器とリアルタイム通信の必要性が少ない移動体機器とは異なるアクセスクラスに割り当て、アクセス制御のためにこれらのデバイスグループを識別する手段を提供する。
【００１５】
本発明は、複数のアクセス制御クラス（ＡＣＣ）の１つに属するように構成され、さらに複数の拡張アクセス制御クラス（ＥＡＣＣ）の１つに属するように構成されている移動体機器のネットワークへのアクセスを制御する移動体機器における方法を提供する。その方法は、ＡＣＣを示す第１の指標とＥＡＣＣを示す第２の指標とを含むシステム情報メッセージを受信する工程と、受信した第１の指標と受信した第２の指標との内、少なくともいずれかに基づいてネットワークへのアクセスを制御する工程を含む。
【００１６】
実施例では、前記制御する工程は、第１の指標に基づいて移動体機器がネットワークへのアクセスが許可されるかどうかを判断し、その許可がなされる場合、第２の指標に基づいてその移動体機器がネットワークへのアクセスが許可されるか、または、アクセス制限されるかを判断する工程を含む。
【００１７】
実施例では、前記判断する工程は、第１の指標がＡＣＣに構成設定される移動体機器と同じＡＣＣを示すかどうかを判断し、同じＡＣＣを示す場合、第２の指標がＥＡＣＣに構成設定される移動体機器と同じＥＡＣＣを示すかどうかを判断する工程を含む。
【００１８】
実施例では、この方法はさらに、第２の指標が移動体機器にネットワークへのアクセスの制限的許可がなされたことを示す場合、移動体機器を制限的アクセスへ構成設定する工程をさらに含む。
【００１９】
実施例では、この構成設定する工程は、移動体で開始する通信を遮断する工程と、ネットワークで開始する通信を許可する工程とを含む。
【００２０】
実施例では、この構成設定する工程は、移動体で開始する通信を許可する工程と、ネットワークで開始する通信を遮断する工程とを含む。
【００２１】
実施例では、この構成設定する工程は、移動体で開始する通信を遮断する工程と、ネットワークで開始する通信を遮断する工程とを含む。
【００２２】
システム情報メッセージ受信後、第２の指標が移動体機器にネットワークへのアクセスの制限的許可がなされたことを示す場合、この方法は好ましくは、移動体機器を制限的アクセスへ構成設定する工程を含む。
【００２３】
移動体機器を制限的アクセスへ構成設定する工程の３つの実施例が備えられる。制限的アクセスの３つのタイプ全て、或いは、そのうちの２つの任意の組み合わせが含められ、移動体機器のどのクラスがアクセスを許可され、アクセスを制限されたか、或いは、アクセスを禁止されたのかを示すシステム情報メッセージを送信することにより、異なるタイプのデバイスに異なるレベルのサービスを提供することをネットワーク運用者に可能にする。
【００２４】
本発明はまた、複数のアクセス制御クラス（ＡＣＣ）の１つに属するように構成され、さらに複数の拡張アクセス制御クラス（ＥＡＣＣ）の１つに属するように構成されており、ＡＣＣを示す第１の指標とＥＡＣＣを示す第２の指標とを含むシステム情報メッセージの受信手段を含む移動体機器を提供する。その移動体機器は、受信される第１の指標と受信される第２の指標との内、少なくともいずれかに基づいて、ネットワークへのアクセスを制御する手段を含む。
【００２５】
実施例では、前記ネットワークへのアクセスを制御する手段はさらに、第１の指標に基づいて移動体機器がネットワークへのアクセスが許可されるかどうかを判断する手段と、第２の指標に基づいて移動体機器がネットワークへのアクセスが許可されるか、或いは、アクセス制限されるかを判断する手段とを含む。
【００２６】
実施例では、前記ネットワークへのアクセスを制御する手段は、ネットワークへのアクセスを制限する手段を含む。
【００２７】
実施例では、前記ネットワークへのアクセスを制限する手段は、移動体機器が通信を開始することを遮断し、前記ネットワークにより開始された通信について前記ネットワークへのアクセスを前記移動体機器に許可するように適合される。
【００２８】
別の実施例では、前記ネットワークへのアクセスを制限する手段は、ネットワークにより開始された通信を移動体機器に行わせないようにし、前記移動体機器に通信を開始させることを許可するように適合される。
【００２９】
さらに別の実施例では、前記ネットワークへのアクセスを制限する手段は、移動体機器により通信が開始されることを遮断し、前記ネットワークにより開始された通信を前記移動体機器が行わないように遮断するように適合される。
【００３０】
運用者は、種々のタイプの移動体機器を種々の拡張アクセス制御クラスに割り当て、拡張アクセス制御クラスを使用してアクセス制御を拡張し、種々のタイプの移動体機器に種々のレベルのサービスを提供できる。時間要求の厳しくない通信を望む移動体機器を拡張アクセス制御クラスの１つへ割り当てることにより、この拡張アクセス制御クラスに属する移動体機器のアクセス制限により、時間要求の厳しい通信により高い優先度を付与できる。
【００３１】
この拡張アクセス制御は、マシーンタイプの通信を主として意図しているが、例えば、音声やデータ通信に対する付加的なレベルのサービスを提供するのにさらに有用であるかもしれない。
【００３２】
一実施例では、通常加入に殆ど常にシステムへのアクセスが許可されることを意味する最高かつ最優先アクセスクラスを音声／データに使用するこれら通常加入に付与する。例えば、ある種のメータ（指標）の状態を報告するためだけのデータを使用する別の加入は、その報告が到着する時には、時間要求は厳しくなくてよいかもしれないので、比較的低い優先度が付与される拡張アクセス制御クラスに割り当てられる。このことは、運用者に高いトラフィック状態においてこれらの加入のアクセスを一時的に遮断することを可能にし、過負荷状態を防止するであろう。
【００３３】
別の実施例では、幾つかの「拡張アクセス制御クラス」が定義され、このクラスに関連するデバイスにセション確立のためのネットワークアクセスを禁止するが、ネットワークによる呼出があれば、デバイス応答を許可するようにする。このような可能性があると、（例えば、上記メータのような）規則的報告期間を自ら意識しているある種のデバイスには有益であり、その報告は高いトラフィック負荷状態では遮断されるが、例えば、障害ユニットの修理にまたはアプリケーションソフトウェア更新の実行に出向く前に障害ユニットの状態を読むため、技術者がそのデバイスとのコンタクトをとることが必要である場合など、時々通信を確立できよう。
【００３４】
さらにその上、複数のアクセス制御クラス（ＡＣＣ）の１つに属するように構成されており、複数の拡張アクセス制御クラス（ＥＡＣＣ）の１つに属するように構成されている移動体機器のネットワークノードへのアクセスを制御する、移動体機器における方法が備えられる。その方法は、ネットワークへの移動体機器のアクセスを制御するためにその移動体機器により使用されるＡＣＣを示す第１の指標とＥＡＣＣを示す第２の指標とを含むシステム情報メッセージを前記移動体機器へ同報する工程を含む。
【００３５】
実施例では、その方法は、システム情報メッセージを同報する前に、システム情報メッセージを受信する工程を含む。
【００３６】
別の実施例では、その方法はさらに、システム情報メッセージを同報する前に、システム情報メッセージを作成する工程を含む。
【００３７】
実施例では、その方法はさらに、トラフィック負荷を判断する工程と、判断されたトラフィック負荷に基づいて、少なくとも第２の指標を判断する工程とを含む。
【００３８】
さらなる実施例では、その方法は、ネットワークから開始される通信から遮断されると判断される移動体機器についての識別情報をそのような移動体機器の呼出メッセージアドレスとの相関をとる工程を含む。
【００３９】
実施例では、その方法はさらに、ネットワークから開始される通信から遮断される判断される移動体機器についての呼出メッセージの廃棄する工程を含む。
【００４０】
アクセス情報はネットワークシステム情報メッセージで同報されるとき、そのアクセス情報は移動体機器により読出される。その方法では、幾つかの移動体機器をアクセス制限することにより、これらのデバイスがアクセスバーストを送信することが禁止されることで、ネットワークにおけるアクセス試行数の削減を可能にしている。
【００４１】
ＧＳＭの実施例では、ＢＳＣはシステム情報メッセージを作成し、ＢＴＳを介してシステム情報を同報できる。この方法を実施するため、ＧＳＭネットワークにおいて適合するＢＳＣのようなノードが備えられる。
【００４２】
トラフィック負荷を判断する代替案や、トラフィック負荷を判断することへ追加することは、トラフィックをスケジューリングすることである。トラフィック負荷分布履歴の統計的測定や報告を使用して、低いトラフィック負荷が予期されたり、予測される場合には、移動体機器に時間的に厳しくないネットワーク通信アクセスを付与しても良い。
【００４３】
運用者は、例えば、種々のタイプの移動体機器を拡張アクセス制御クラスの種々のアクセスクラスに割り当てることができる。運用者は次いで、この方法を用いて、種々のクラスの移動体機器へ、種々の種類とレベルとの内の少なくともいずれかのサービスを提供する。
【００４４】
さらにその上、複数のアクセス制御クラス（ＡＣＣ）の１つに属するように構成されており、複数の拡張アクセス制御クラス（ＥＡＣＣ）の１つに属するように構成されている移動体機器のネットワークへのアクセスを制御する装置が提供される。その装置は、ネットワークへの移動体機器のアクセスを制御するために、前記移動体機器により使用されるＡＣＣを示す第１の指標とＥＡＣＣを示す第２の指標とを含むシステム情報メッセージを前記移動体機器へ同報する手段を含む。
【００４５】
実施例では、この装置はさらに、システム情報メッセージを同報する前に、システム情報メッセージを受信する手段を含む。
【００４６】
別の実施例では、この装置はさらに、システム情報メッセージを同報する前に、システム情報メッセージを作成する手段を含む。
【００４７】
実施例では、この装置はさらに、トラフィック負荷を判断する手段と、その判断されたトラフィック負荷に基づいて、少なくとも第２の指標を判断する手段とを含む。
【００４８】
実施例では、この装置は、ネットワークにより開始された通信から遮断されると判断される移動体機器についての識別情報と、そのような移動体機器への呼出メッセージアドレスとの相関をとる手段を含む。
【００４９】
実施例では、この装置はさらに、ネットワークにより開始された通信から遮断されると判断された移動体機器についての呼出メッセージを廃棄する手段を含む。
【００５０】
運用者が時間要求の厳しい通信を許可するようなトラフィックタイプに基づきアクセスを遮断し、時間要求の厳しくない通信アクセスを遮断し、種々の加入を識別できる代替的な解決策とは、例えば、ＳＩＭカードを無効にし、次いでこれらＳＩＭカードを「アクセス制御クラス」のサブセット（例えば、０〜４）に割り当てられた新規ＳＩＭカードと置換することである。これは、残存「アクセス制御クラス」（この例では、５〜９）を関連する加入についてアクセスを遮断したり／許可するために使用し、時間要求の厳しい通信を確立する必要のないマシーンタイプ移動通信デバイスをこれらのクラスへ割り当て、マシーンタイプ移動通信デバイスを制限的なアクセスにおくことを可能にするであろう。しかしながら、このアプローチは、運用者のかなりの管理負担が関係する。ＳＩＭカードの配布がかなり高価であるのは、ＳＩＭカードを安全な郵便で恐らく送付しなければならないからである。多くの人々はまた、全ての連絡先をＳＩＭにもち、古いＳＩＭを新規なＳＩＭに取り換える時には、その新規なＳＩＭカードに、または移動体機器のメモリにその連絡先を転送する必要があろう。
【００５１】
上記開示する幾つかの実施例により達成される利点は、例えば、通信システム運用者にセルとネットワークとの内の少なくともいずれかのトラフィック負荷に基づいて時間要求があまり厳しくない通信に対し時間要求の厳しい通信に優先権を与えることである。高いトラフィック負荷であると判断されれば、時間要求が厳しくない通信はトラフィック負荷がより低いと判断されるまで延期できる。上記開示する幾つかの実施例により達成されるさらなる利点は、例えば、トラフィック負荷が高いと判断されれば、移動体機器のアクセス試行をも回避する点である。
【００５２】
本発明の他の目的、利点および新しい特徴は添付図面および請求の範囲と関連して考慮されるとき、本発明の次の詳細な説明から明らかになろう。
【００５３】
より良き理解のため、次の図面と本発明の好適な実施例を参照する。
【図面の簡単な説明】
【００５４】
【図１】ＲＡＣＨ制御パラメータの情報要素を示す図である。
【図２】「拡張アクセス制御クラス」の１オクテットにより拡張されるＲＡＣＨ制御パラメータの情報要素を示す図である。
【図３】拡張ＲＡＣＨ拡張制御パラメータの情報要素を示す図である。
【図４】無線アクセスネットワークの実施例を示す図である。
【図５ａ】、
【図５ｂ】アクセス制御装置の２つの実施例を示す図である。
【図６】図９の移動体機器において実行されるアクセス制御方法を示す図である。
【図７】図５ａの装置により実現されるアクセス提供方法を示すフローチャートである。
【図８】図５ｂの装置により実現されるアクセス提供方法を示すフローチャートである。
【図９】移動体機器の実施例を示す図である。
【発明を実施するための形態】
【００５５】
図４は、移動体機器２にネットワーク１へのアクセスを提供する装置或いはノード１０を含む無線アクセスネットワーク１を図示している。アクセス装置１０は、移動体機器２にメッセージ３を同報し、移動体機器２とネットワーク１との間の通信を提供するために備えられる。図４は、アクセス装置１０から移動体機器２への同報を図示し、この同報にはアクセス情報、特に、アクセスクラス４（例えば、ＡＣＣ）と付加的アクセスクラス５（例えば、ＥＡＣＣ）に属する移動体機器のアクセスクラス情報４、５を含むシステム情報メッセージ３を含む。アクセス情報４は、アクセス制御クラス（ＡＣＣ）に属する移動体機器へのネットワークアクセスの許可または禁止を示す。付加的アクセス情報は、拡張アクセス制御クラス（ＥＡＣＣ）に属する移動体機器がネットワークへのアクセスが許可されるか、または、そのアクセスが制限されるかを示す。装置の実施例が図５ａと図５ｂには記載されている。図５ａは、ＧＳＭの基地局制御装置と基地局とを含む装置構成を図示する一方、図５ｂは、単一ノード、例えば、ＬＴＥの基地局を含む装置構成を図示する。
【００５６】
図５ａは基地局（無線基地局：ＢＴＳ）１１にケーブル１４により動作するように接続された基地局制御装置（ＢＳＣ）１２を含むＧＳＭ基地局サブシステム（ＢＳＳ）形式のアクセス装置１０を例示する。ＷＣＤＭＡシステムでは、その装置構成は図５ａにおけると同様に構成される無線ネットワーク制御装置（ＲＮＣ）とノードＢとを含む。
【００５７】
次に、ＧＳＭのＢＳＳについてさらに詳細に説明する。ＢＳＣはＢＳＳの（不例示）制御手段を含み、ＢＴＳは移動体機器へのエアインタフェースの送信機と受信機と（不例示）を含む。通常、１台のＢＳＣは幾台かのＢＴＳを制御するが、説明を明りょうにするため、ただ１台のＢＴＳを例示する。ＢＳＣはさらに、ＡＣＣを示す第１の指標とＥＡＣＣを示す第２の指標とを含むシステム情報メッセージの作成手段５３を含む。ＢＳＣは動作中に、第１の指標と第２の指標を含むシステム情報メッセージを作成する。これらシステム情報メッセージは、例えば、ケーブル１４を介するか、または、無線通信によりＢＴＳに転送される。ＢＴＳ１１は、第１の指標と第２の指標とを含むシステム情報メッセージを移動体機器２に同報する同報手段５１を含む。図５ａのＢＳＣはまた、トラフィック負荷、即ち、セルとネットワークとの内の少なくともいずれかのトラフィック負荷情報を判断する第３の判断手段１５を含むと良い。ＢＳＣは、第３の判断手段により判断されるトラフィック負荷に基づいて、少なくとも第１の指標を判断する第１の判断手段６１と、少なくとも第２の指標を判断する第２の判断手段６２との内の少なくともいずれかを含むと良い。従って、例えば、どのアクセス制御クラス、そして、どの拡張アクセス制御クラスが通信の制限を受けるのか、或いは、完全に通信が禁止されるのかを判断する第３の判断手段１５により判断される場合に、ＢＳＣ１２は、トラフィック負荷データを使用し、これに応じてシステム情報メッセージを作成するように適切に構成されている。
【００５８】
図５ｂはＬＴＥ（ｅノードＢ）基地局のようなアクセス装置１０の別の実施例を図示している。ここで、基地局５２は、アンテナやアンテナポートのような同報する同報手段５１を含むこととともに、システム情報メッセージを作成する作成手段５３をも含むと良い。なお、基地局５２は、作成手段５３に代わり、別のネットワークノード、例えば、ＭＭＥ、ＲＮＣ、ｅノードＢ、ＢＳＣからシステム情報メッセージを受信するように構成された受信手段５４を含んでいても良い。受信手段５４は、アンテナポート、通信機または受信機であると良い。
【００５９】
図５ｂについて説明を続けると、基地局５２はまた、中央処理装置（ＣＰＵ）、或いは、処理回路、或いは、プロセッサのようなトラフィック負荷を判断する第３の判断手段５５を含んでいても良い。
【００６０】
図５ａの装置構成と同様に、装置構成１０、例えば、基地局５２は、種々のアクセスクラス（ＡＣＣ）に関してネットワークへのアクセスの許可または遮断を示す第１の指標と付加的アクセスクラス（ＥＡＣＣ）に関してネットワークへのアクセスの許可または制限的アクセスを示す第２の指標とを含むシステム情報メッセージの作成または受信を行うことができる。これら指標の幾つか若しくは全ては、判断されたトラフィック負荷に基づいているかもしれない。図５ｂはまた、基地局５２に統合するか、或いはその代わりに通信可能に基地局５２に接続されるメッセージを処理する処理手段５６を図示している。処理手段５６は、作成手段５３により作成されるシステム情報メッセージに示されているように、アクセス制限がなされる、或いは、アクセスが禁止される移動体機器と、移動体機器２に宛てられたネットワーク１から着信するメッセージから導出されるアドレスとの間の相関をとる相関手段５６ａを含んでいても良い。これらの相関は、メッセージを処理する、例えば、メッセージを保存する処理手段５６により使用される。メッセージを処理する処理手段５６は、ネットワークで開始された通信を禁止し、メッセージを受信するための呼出に応答することが許可されない移動体機器に宛てられたメッセージを廃棄するように構成された廃棄手段５７を含むと良い。
【００６１】
なお、上述の作成手段５３、第１の判断手段６１、第２の判断手段６２及び第３の判断手段（１５，５５）、処理手段５６、相関手段５６ａ、及び廃棄手段５７はそれぞれ、装置構成、即ち、ノードについて記載した請求項によりカバーされるノードにおける回路の個別的な物理的な部分または統合された部分であっても良い。また、上述の作成手段５３、第３の判断手段５５、処理手段５６、相関手段５６ａ、及び廃棄手段５７は、１つ以上幾つかの物理エンティティ内に分散された機能を有していてもよい。例として、ＣＰＵは上記手段（５３、５５、５６、５６ａ、５７）、（５３、１５、５６、５６ａ、５７）の内の１つ以上幾つかを含むことができる。
【００６２】
図５ａと図５ｂに例示されるもののように、トラフィック負荷がいずれかの実施例で判断される場合、制御信号チャネル、通信チャネル、または内部処理は、トラフィック負荷についての指標として使用できる。図５ａのＢＳＣは、その内部処理、或いは、各ＢＴＳの制御信号チャネルまたは通信チャネルの使用量に基づいて、トラフィック負荷を判断できる。同様に、図５ｂにおいて、（ｅノードＢのような）基地局は、その制御或いは通信チャネル、または、それ自体の内部処理についてのトラフィック負荷を判断できる。トラフィック負荷情報はまた、ネットワーク若しくはコアネットワークの他のノードとの通信を通じて判断されても良いし、または、トラフィック負荷レベルがネットワーク若しくはコアネットワークの他のノードから受信されても良い。トラフィック負荷は、リアルタイムで適切に判断されるが、例えば、統計的計算が施される履歴データから提供されても良い。異なる日または１日の内の異なる時間のトラフィックスケジューリングは、トラフィック負荷による輻輳回避にも使用できる。スケジューリングは、トラフィック負荷判断の代替案として、若しくはトラフィック負荷判断に追加して使用できる。
【００６３】
図７は図５ａの装置により実現できるアクセス提供方法を例示するフローチャートである。
【００６４】
図８は図５ｂの装置により実現できるアクセス提供方法を例示するフローチャートである。
【００６５】
図７で、図５ａの装置１０はシステム情報メッセージを同報する（ステップ７２）。このシステム情報メッセージは「アクセス制御クラス」に属する移動体機器のアクセス制御パラメータと「拡張アクセス制御クラス」にも属する移動体機器の拡張アクセス制御追加パラメータをも含む。このアクセス制御方法はまた、破線の区切り枠により示す追加ステップを含んでも良い。図７は基地局（ＢＴＳ）によりアクセスを制御する方法を図示しており、その方法は、システム情報メッセージを受信するステップ７１Ｂにより開始し、その後、そのシステム情報メッセージを同報するステップ７２に続く。ＢＴＳは、基地局サブシステムの基地局制御装置（ＢＳＣ）からシステム情報メッセージを受信する。
【００６６】
図７は、全体としてＢＳＳで実行する複数のステップ、即ち、ＢＳＣで実行するステップとともに、ＢＴＳにより実行するステップも図示している。ＢＳＳにより実行される方法は、システム情報メッセージを同報するステップ７２を含む。この方法はまた、破線区切り枠により示される付加的ステップを含んでも良い。ＧＳＭでは、そのシステム情報メッセージはＢＳＳのＢＳＣにより作成され、本発明によれば、ＢＳＳでシステム情報メッセージを作成するのが適切である。従って、システム情報メッセージを同報するステップの前に、この方法はシステム情報メッセージを作成するステップ７１Ａを含む。その作成ステップ７１Ａは、セルまたはネットワークトラフィック負荷を考慮するステップを含んでいても良く、システム情報メッセージを作成するステップ７１Ａの前に、この方法は、トラフィック負荷を判断するステップ７０を含むものとして例示されている。高いトラフィック負荷の場合、拡張アクセス制御クラス（ＥＡＣＣ）のより多くのアクセスクラスは適切にアクセスが制限される。即ち、アクセス情報を示すパラメータはトラフィック負荷に従って設定される。時間要求の厳しくない通信を使用する移動体機器からのアクセス試行を制限することにより、これらの通信はただ遅延するだけなので、これらの機器に悪い影響を与えることなく、時間要求の厳しい通信へのアクセスに提供することを可能にしている。
【００６７】
この方法はまた、メッセージを処理する幾つかのステップを含んでいても良い。呼出メッセージへの応答が許可されない移動体機器への呼出は不必要である。このため、メッセージを受信することが許可されない移動体機器への到来メッセージを特定するのは適切なことである。この方法はそれ故、ネットワークで開始された通信から遮断される移動体機器への呼出メッセージの相関をとるステップ７３を含む。そのような呼出メッセージが識別された場合、この方法は適切にもその呼出メッセージを廃棄するステップ７４を実行するようにする。
【００６８】
ネットワークは移動体機器を呼出す場合に、移動体機器が属する、特に禁止する場合にネットワークにより開始される通信を許可しないＥＡＣＣに属する移動体機器に関し、ＥＡＣＣの指示を含むように適切に適合されると良い。その呼出メッセージが送信されるネットワークノード（ＢＳＣ）はその場合、呼出メッセージからＥＡＣＣを受信でき、ＥＡＣＣが禁止であるかをチェックできる（ステップ７３）。ネットワークにより開始される通信を許可しない場合、ノードはそのような呼出メッセージを廃棄する（ステップ７４）ように適切に適合されると良い。
【００６９】
あるいは別のネットワークノード、好ましくは、ＧＳＭのＭＳＣ（移動交換センタ）またはＳＧＳＮ（サービングＧＰＲＳサポートノード）のようなノードは相関をとる（ステップ７３）ことができ、メッセージを廃棄できる（ステップ７４）。
【００７０】
図８は図５ｂの基地局により実行するアクセス制御方法を図示している。この方法は、システム情報メッセージを作成するステップ７１と、システム情報メッセージを同報するステップ７２とを含んでいる。システム情報メッセージを作成するのにトラフィック負荷を使用し、そのトラフィック負荷に基づいたアクセス設定を示すことも適切なことである。その方法はそれ故、適切にもシステム情報メッセージを作成するステップ７１の前にトラフィック負荷を判断するステップ（ステップ７０）を含んでいる。付加的に、或いは、代替的に、そのトラフィックがスケジューリングされても良い。
【００７１】
続いて、その方法は適切にも、遮断された移動体機器の識別情報と呼出メッセージアドレスとの相関をとるステップ７３を含み、そして好ましくは、その呼出メッセージが（ステップ７３において）識別された場合、そのような呼出メッセージを廃棄するステップ７４を含む。図７に関して検討したネットワークの適応に類似して、そのネットワークは、図８のノードを通じて呼出メッセージを送信する場合、移動体機器が属する付加的アクセス制御クラスの指示を含み、呼出メッセージとネットワークにより開始される通信が禁止される移動体機器との間の相関がとられ、その後、その呼出メッセージを廃棄するステップ（ステップ７４）に続くようにしても良い。
【００７２】
図９は、移動電話機、パーキングメータ、火災検出器、地震警報機、電力メータ、自動販売機または無線通信手段を有する何らかのマシーンのような移動体機器２を図示している。移動体機器２は、複数のアクセス制御クラスＡＣＣの１つに属するように構成され、さらに複数の拡張アクセス制御クラスＥＡＣＣの１つに属するように構成されている。移動体機器２は、ＡＣＣを示す第１の指標とＥＡＣＣを示す第２の指標とを含むシステム情報メッセージを受信するように適合または構成される受信手段２１を含む。移動体機器２はまた、受信した第１の指標と受信した第２の指標との内の少なくともいずれかに基づいてネットワークアクセスを制御するように適合または構成される制御手段２２を含む。制御手段２２はまた、システム情報メッセージにおいて受信したアクセス情報に従って通信するように移動体機器２を構成設定するために用いられると良い。
【００７３】
上述の受信手段２１は、トランシーバ、受信機、或いは、受信機回路でも良く、上述の制御手段２２は、中央処理装置、処理回路、或いは、受信機回路の一部であっても良い。
【００７４】
一実施例によれば、図９に関する上述の制御手段２２はさらに、移動体機器２が第１の指標に基づいてネットワーク１へのアクセスが許可されているかどうかを判断する第１の判断手段２３を含んでいても良い。さらにその上、制御手段２２は、移動体機器２が第２の指標に基づいてネットワーク１へのアクセスが許可されているか、或いは、アクセス制限がされているかを判断する第２の判断手段２４を含んでいても良い。なお、制御手段２２と第１の判断手段２３と第２の判断手段２４とは、移動体機器２のＣＰＵの個別の部分或いは統合部分でも良いし、或いは、移動体機器２の処理回路でも良い。即ち、これらの手段は、同じ物理エンティティの中で、或いは、異なる物理エンティティにおいて、個別機能を有する。
【００７５】
実施例によれば、制御手段２２はネットワークへのアクセスを制限する制限手段２５を含むと良い。制限手段２５は、移動体機器２が通信を開始することを遮断し、ネットワーク１により開始される通信、例えば、呼出メッセージへの応答のために移動体機器２がネットワーク１にアクセスすることを許可するように適合または構成されていると良い。
【００７６】
上述構成の代替として、制限手段２５は、ネットワーク１により開始される通信に関して移動体機器２を遮断し、移動体機器２が通信を開始することを許可するように適合されていても良い。
【００７７】
さらに別の代替案によれば、制限手段２５は、移動体機器２が通信を開始することができないようにし、ネットワーク１により開始される通信、例えば、呼出メッセージを受信することが移動体機器２でできないように適合されていても良い。
【００７８】
図６は、移動体機器において採用されるアクセスを制御する方法を図示している。この方法は、移動体機器２において、アクセスクラスと付加的アクセスクラスのアクセス情報、例えば、拡張アクセス制御クラスパラメータとアクセス制御クラスパラメータとを含むシステム情報メッセージを受信するステップ６１を含む。
【００７９】
受信ステップ６１に続き、アクセス規則に従って通信を行うよう移動体機器を構成設定するステップ６２がある。従って、移動体機器の通信手段２１は、これに応じて通信を行うであろう。図６は、移動体機器を構成設定する３つの異なる例Ａ、Ｂ、及びＣを図示している。運用者は、３つのタイプの移動体機器全てにサービスを提供でき、異なるタイプのアクセス制御Ａ、Ｂ、及びＣは、異なるトラフィック量のような異なる状況においても実現できる。
【００８０】
従って、構成設定ステップ６２は、アクセス制御タイプＡである移動体機器に関して、移動体機器が通信を開始することを遮断するステップ６３Ａと、ネットワークにより開始される通信を許可するステップ６４Ａ、即ち、移動体機器がネットワークからの呼出に応答することが許可されるステップを含む。
【００８１】
アクセス制御タイプＢは、移動体機器が開始する通信を許可するステップ６３Ｂと、タイプＢの移動体機器に対してネットワークにより開始される通信を遮断するステップとを含む。
【００８２】
アクセス制御タイプＣの構成設定ステップ６２は、移動体機器が通信を開始することがないようにするステップ６３Ｃと、ネットワークにより開始される通信も遮断するステップ６４Ｃとを含む。
【００８３】
付加的なアクセス制御クラスに属する移動体機器の構成は好ましくは、アクセス制限を規定するステップを含む。移動体機器は、タイプＡ、Ｂ、及びＣのクラスそれぞれについて適切に事前構成設定されると良い。加入をすると、移動体機器は、付加的アクセスクラスに割り当てされる。その場合、表示が適切にホームロケーションレジスタのようなネットワークにおいてなされ、そして、例えば、移動体機器のＳＩＭカードになされるか、或いは、その機器にプログラムされる。
【００８４】
図６はまた、移動体機器のアクセスを制御するためにアクセスクラス（ＡＣＣ）がどのように使用されるのかを図示している。この方法は、移動体機器が属するアクセスクラスがネットワークへのアクセスを許可されているどうかを判断するステップ６３を含んでいる。そのアクセスが許可されなければ、この方法は通信を遮断するステップ６９を含む。もし、アクセス制御クラスの第１の指標に従って移動体機器がネットワークへのアクセスを許可されれば、この方法は、拡張アクセス制御クラスを示す第２の指標に基づいて、移動体機器がアクセス制限に従うかどうかを判断するステップ６４に進む。その移動体機器がアクセス制限されなければ、この方法は通信を許容するステップ６８へと続く。
【００８５】
何れの付加的な制御クラスＥＡＣＣにも属さない移動体機器は、第１の指標に従ってアクセスが許可されるかどうかを判断する（６３）のが好ましい。（ステップ６３において）アクセスが許可されれば、そのような移動体機器は通信を許可するステップ６８に進む。アクセスが許可されなければ、そのような移動体機器は通信を遮断するステップ６９に進む。
【００８６】
運用者がどのようにネットワークを構成設定するのかを選択する例を表１に示す。
【００８７】
表１  拡張アクセス制御クラス例
━━━━━━━━━━━━━━━━━━━━━━━━━━━━━━━━━━
拡張アクセス  デバイスによる      ＮＷによる開始
制御クラス      開始                （呼出）
０            ８０％禁止          ８０％禁止
１            ９０％禁止          ９０％禁止
２            ８０％禁止          禁止しない
３            ９０％禁止          禁止しない
４            禁止しない          ８０％禁止
５            禁止しない          ９０％禁止
６            ・・・              ・・・
７            ・・・              ・・・
【００８８】
デバイスにより開始される通信とは、デバイス自らがメッセージの送信または受信のため接続開始を試行することを意味する。ネットワークにより開始される通信とは、デバイスへの呼出により、そのデバイスへのメッセージの送信若しくは受信が可能である通信をネットワーク側が開始することを意味する。
【００８９】
ここで運用者は、例えば、拡張アクセス制御クラス２（表１の例を参照）はシステムにおける８０％の負荷でデバイス開始の通信を禁止するが、このデバイスにネットワークより呼出があれば、そのデバイスに常に応答することが許可されていると規定することを選択している。しかしながら、デバイスが拡張アクセス制御クラス４に属しているならば、そのデバイスは常時ネットワークにアクセスできるが、このクラスにアクセス制限がなされると、そのデバイスへの呼出に応答することは許可されない。このデバイスの通常の通信経路が、時間要求の厳しくないデータに関してネットワークが報告が遅れるかどうかを尋ねるためのものであり、しかし、直ちに報告を必要とする予期せぬイベントが生じたなら、その機器は常に通信を開始できるものであるなら、これは有用であろう。
【００９０】
この新しい手順が作用するには、随時ネットワークにアクセスすることが許可する「拡張アクセス制御クラス」と」「拡張アクセス制御クラス」がアクセス制限を受けるネットワーク／セルにおいて、ネットワークは情報を繰り返し同報できる必要がある。ＧＳＭの既に存在するアクセス制御クラスである「アクセス制御クラス」に関し、非特許文献１のセクション１０．５．２．２９で規定されるように、このことは「ＲＡＣＨ制御パラメータ」の指示によりなされる。この「ＲＡＣＨ制御パラメータ」の情報要素は、この時、システム情報タイプ１、２、２ｂｉs、３、及び４のメッセージで同報される。これは、図１におけるように、この標準で規定されているように見え、オクテット３と４において構成されたアクセスクラスについてのパラメータ要素を有している。
【００９１】
図１で「ＡＣ  Ｃｘｘ」により示されるビットはここでは、以下の表２に記載するように、任意の時間にネットワークにアクセスすることが許可される「アクセス制御クラス」を制御するために使用される。
【００９２】
表２  ＲＡＣＨ制御パラメータ情報要素
（非特許文献１の表１０．５．２．２９の切り抜き）
┏━━━━━━━━━━━━━━━━━━━━━━━━━━━━━━━━━━━━━━┓
┃ＡＣ  ＣＮ、アクセス制御クラス  Ｎ（オクテット３（ビット３を除く）と        ┃
┃                                      オクテット  ４）                      ┃
┃ＡＣ  Ｃ＝Ｎである移動局に関し、ＡＣ  ＣＮビットが「０」で符号化されれば、  ┃
┃アクセスを禁止しない；Ｎ＝０、１、……９、１１、……、１５                  ┃
┗━━━━━━━━━━━━━━━━━━━━━━━━━━━━━━━━━━━━━━┛
【００９３】
さて、「拡張アクセス制御クラス」を導入するという提案の考えを導入するため、次のサブセクションで列挙する例におけるように、このことは多くの異なる方法で達成できるかもしれない。なお、これらのセクションで使用する符号化は実行可能であるが、単に例として見られるべきものである。その正確な符号化がどのようになされるかについての他の可能性があるかもしれない。
【００９４】
例１：既存「ＲＡＣＨ制御パラメータ」情報要素の拡張
８個の新規「拡張アクセス制御クラス」：オクテット５のＥＡＣＣ  Ｃ００〜Ｃ０７を例示する場合について、ＲＡＣＨ制御パラメータを図２によるように拡張する。
【００９５】
図１は「ＥＡＣ  Ｃｘｘ」と表す１オクテットの「拡張アクセス制御クラス」により拡張されるＲＡＣＨ制御パラメータ情報要素を示す。非特許文献１の表１０．５．２．２９．１に挿入される対応説明を表３で以下に示す。
【００９６】
表３  ＲＡＣＨ制御パラメータ情報要素
（非特許文献１の表１０．５．２．２９．１の切り抜き）
┏━━━━━━━━━━━━━━━━━━━━━━━━━━━━━━━━━━━━━━┓
┃ＥＡＣ  ＣＮ、拡張アクセス制御クラス  Ｎ（オクテット５）                    ┃
┃ＥＡＣ  Ｃ＝Ｎである移動局の場合、ＥＡＣ  ＣＮビットが「０」で符号化されれば┃
┃アクセスを禁止しない；Ｎ＝０、１、……７                                    ┃
┗━━━━━━━━━━━━━━━━━━━━━━━━━━━━━━━━━━━━━━┛
【００９７】
「ＲＡＣＨ制御パラメータ」情報要素へのさらに別のオクテットを追加することにより、８個の「拡張アクセス制御クラス」がある上述の例は、代替として、例えば、１６個のこのような「拡張アクセス制御クラス」に拡張できよう。
【００９８】
非特許文献１の従来技術の移動体機器（以下、従来のＭＳと呼ぶ）は特別の「ＥＡＣ  Ｃｘｘ」ビットの解釈法を知らず、そのことがシステム情報タイプ１、２、２ｂｉｓ、３、及び４のメッセージにおける後続ビットの復号化を混乱させるので、この解決策は後方互換性がないことが、このアプローチの有する欠点である。
【００９９】
例２：新規「拡張ＲＡＣＨ制御パラメータ」情報要素の作成
上記のように、非特許文献１の既存のＲＡＣＨ制御パラメータ情報要素を拡張することよりむしろ、後方互換性を保証するため、代わりに、システム情報タイプ１、２、２ｂｉｓ、３、及び４のメッセージにおいても送信される新規の「拡張ＲＡＣＨ制御パラメータ」情報要素を導入する。これらは既に（必須の）「ＲＡＣＨ制御パラメータ」情報要素に含まれているので、これは、例えば、Ｔｘ−整数、セルアクセス禁止（ＣＥＬＬ  ＢＡＲＲ  ＡＣＣＥＳＳ）などのような新規の「ＥＡＣ  Ｃｘｘ」ビット以外の情報を何ら含む必要がない。従って、新規の情報要素は、図３に示す通りである。図３は「ＲＡＣＨ拡張制御パラメータＩＥＩ」と「ＥＡＣ  Ｃｘｘ」と表す「拡張アクセス制御クラス」ビットのみを含む「拡張ＲＡＣＨ制御パラメータ」情報要素を示している。
【０１００】
例えば、システム情報タイプ１のメッセージにおいて、新規の「拡張ＲＡＣＨ制御パラメータ」をオプション情報要素として、以下の表４に示すように追加しても良い。ここで、その追加は最終行に現れる。
【０１０１】
表４  最終行に追加するオプションの「拡張ＲＡＣＨ制御パラメータ」を有する
システム情報タイプ２のメッセージ内容
（非特許文献１の表９．１．３２．１の切り抜き）
┏━━━┳━━━━━━┳━━━━━━━━━━┳━━━━━┳━━━━━━┳━━━┓
┃ＩＥＩ┃  情報要素  ┃    タイプ／参照    ┃プレゼンス┃フォーマット┃長さ  ┃
┣━━━╋━━━━━━╋━━━━━━━━━━╋━━━━━╋━━━━━━╋━━━┫
┃      ┃Ｌ２擬似長  ┃  Ｌ２擬似長        ┃    Ｍ    ┃    Ｖ      ┃  １  ┃
┃      ┃            ┃１０．５．２．１９  ┃          ┃            ┃      ┃
┣━━━╋━━━━━━╋━━━━━━━━━━╋━━━━━╋━━━━━━╋━━━┫
┃      ┃ＲＲ管理    ┃プロトコル識別子    ┃    Ｍ    ┃    Ｖ      ┃１／２┃
┃      ┃プロトコル  ┃１０．２            ┃          ┃            ┃      ┃
┃      ┃識別子      ┃                    ┃          ┃            ┃      ┃
┣━━━╋━━━━━━╋━━━━━━━━━━╋━━━━━╋━━━━━━╋━━━┫
┃      ┃スキップ指標┃スキップ指標        ┃    Ｍ    ┃    Ｖ      ┃１／２┃
┃      ┃            ┃１０．３．１        ┃          ┃            ┃      ┃
┣━━━╋━━━━━━╋━━━━━━━━━━╋━━━━━╋━━━━━━╋━━━┫
┃      ┃システム情報┃メッセージタイプ    ┃    Ｍ    ┃    Ｖ      ┃  １  ┃
┃      ┃タイプ２    ┃１０．４            ┃          ┃            ┃      ┃
┃      ┃メッセージ  ┃                    ┃          ┃            ┃      ┃
┃      ┃タイプ      ┃                    ┃          ┃            ┃      ┃
┣━━━╋━━━━━━╋━━━━━━━━━━╋━━━━━╋━━━━━━╋━━━┫
┃      ┃ＢＣＣＨ    ┃近隣セルの説明      ┃    Ｍ    ┃    Ｖ      ┃  １６┃
┃      ┃周波数リスト┃１０．５．２．２２  ┃          ┃            ┃      ┃
┣━━━╋━━━━━━╋━━━━━━━━━━╋━━━━━╋━━━━━━╋━━━┫
┃      ┃ＮＣＣ許可  ┃ＮＣＣ許可          ┃    Ｍ    ┃    Ｖ      ┃  １  ┃
┃      ┃            ┃１０．５．２．２７  ┃          ┃            ┃      ┃
┣━━━╋━━━━━━╋━━━━━━━━━━╋━━━━━╋━━━━━━╋━━━┫
┃      ┃ＲＡＣＨ制御┃ＲＡＣＨ制御        ┃    Ｍ    ┃    Ｖ      ┃  ３  ┃
┃      ┃パラメータ  ┃パラメータ          ┃          ┃            ┃      ┃
┃      ┃            ┃１０．５．２．２９  ┃          ┃            ┃      ┃
┣━━━╋━━━━━━╋━━━━━━━━━━╋━━━━━╋━━━━━━╋━━━┫
┃ＸＸ  ┃拡張ＲＡＣＨ┃ＲＡＣＨ制御        ┃    Ｏ    ┃    ＴＶ    ┃  ２  ┃
┃      ┃制御        ┃パラメータ          ┃          ┃            ┃      ┃
┃      ┃パラメータ  ┃１０．５．２．２９  ┃          ┃            ┃      ┃
┗━━━┻━━━━━━┻━━━━━━━━━━┻━━━━━┻━━━━━━┻━━━┛
【０１０２】
どの従来のＭＳも「拡張ＲＡＣＨ制御パラメータ」情報要素のＩＥＩ＝ＸＸを認識できないので、従来のＭＳは非特許文献１で既に規定する手順に従ってこの情報要素を無視するであろう。それ故、この解決策には後方互換性がある。従って、このメッセージのＬ２擬似長は今日の非特許文献１におけるように２２オクテットよりむしろ２４オクテットであろう。
【０１０３】
再度、図３の「拡張ＲＡＣＨ拡張制御パラメータ」情報要素へより多くのオクテットを追加し、これに応じて上記表４に記載の長さとＬ２擬似長とを変更することにより、上記解決策は、代替的に８個以上の「拡張アクセス制御クラス」に拡張できる。
【０１０４】
この方法は、システム情報タイプ１、２、２ｂｉｓ、３、及び４のメッセージに使用できる。
【０１０５】
例３：残りのオクテットへの「拡張アクセス制御クラス」情報の追加
上記の例１と例２で説明した解決策の代替的なアプローチは、新規の情報要素の作成に代わり、各システム情報メッセージの残りのオクテットにむしろ「拡張アクセス制御クラス」情報を追加することであろう。例として、システム情報タイプ１について、これは、以下に示すように非特許文献１のセクション１０．５．２．３２に記載されるように、ＳＩの１オクテットを修正することにより達成できる。
【０１０６】
┏━━━━━━━━━━━━━━━━━━━━━━━━━━━━━━━━━━━━━━┓
┃  ＜ＳＩ１  Rest  Octets＞：：＝                                            ┃
┃  ｛Ｌ｜Ｈ＜NCH Position：bit （５）＞｝                                    ┃
┃    ＜Band indicator＞                                                      ┃
┃    ｛ｎｕｌｌ｜Ｌ    −以前のレリースと互換性のある受信機                  ┃
┃      ｜Ｈ            −リリース１０に追加                                  ┃
┃      ｛０｜１＜Extended  Access  Control   Class ：bit （８）＞｝          ┃
┃    ｝                                                                      ┃
┃    ＜spare  padding＞；                                                    ┃
┃＜Band indicator＞：：＝                                                    ┃
┃    ＜BAND_INDICATOR＞：bit ＝＝Ｌ＞  ‐‐ＡＲＦＣＮは１８００帯を指示      ┃
┃    ｜＜BAND_INDICATOR＞：bit ＝＝Ｈ＞；  ‐‐ＡＲＦＣＮは１９００帯を指示  ┃
┃                                                                            ┃
┗━━━━━━━━━━━━━━━━━━━━━━━━━━━━━━━━━━━━━━┛
ＳＩ１の残りのオクテットは８個のこのようなクラスの例に対し“拡張アクセス制御クラス”ビットにより拡張する。
【０１０７】
非特許文献１の表１０．５．２．３２．１ａに挿入される対応説明はこの場合以下の表５によるようであろう。
【０１０８】
表５  非特許文献３の表１０．５．２．３２．１ａの
「拡張アクセス制御クラス」に追加するＳＩ１の残りのオクテット情報要素の詳細
┏━━━━━━━━━━━━━━━━━━━━━━━━━━━━━━━━━━━━━━┓
┃拡張アクセス制御クラス（８ビットフィールド）                                ┃
┃事前設定すれば、拡張アクセス制御クラス＝Ｎである移動局に対し、ビットを「０」┃
┃で符号化すれば、アクセスを禁止しないことをこのフィールドは示した。ここで、  ┃
┃Ｎがビットマップにおけるビット位置を示し、Ｎ＝０、１、……７である。        ┃
┃このフィールドが存在しなければ、どの拡張アクセス制御クラスに対しても、      ┃
┃アクセスは禁止されない。                                                    ┃
┗━━━━━━━━━━━━━━━━━━━━━━━━━━━━━━━━━━━━━━┛
【０１０９】
（非特許文献１の）いずれの従来のＭＳも、この追加情報をただ空白の詰め込みと見るであろう。それ故、この解決策は後方互換性がある。また、（表９．３．３１．１における）システム情報タイプ１のメッセージの長さとＬ２擬似長もこれに応じて更新される。
【０１１０】
この方法は、非特許文献１のシステム情報タイプ１、２ｂｉｓ、３、及び４のメッセージに使用されるが、システム情報タイプ２に対しては、残りのオクテットを含まないので、使用されないであろう。
【０１１１】
ＧＳＭのようなネットワークに対する移動体機器のアクセスを制御する方法および装置に関する発明について説明した。移動体機器はアクセス制御クラス（ＡＣＣ）に属し、拡張アクセス制御を提供するため、付加的アクセス制御クラス（ＥＡＣＣ）にも属している。この装置は移動体機器にシステム情報を同報し、このシステム情報はアクセス制御クラス（ＡＣＣ）に属する移動体機器にネットワークにアクセスすることを許可するか、または禁止するかを示し、そのシステム情報はさらに、拡張アクセス制御クラス（ＥＡＣＣ）にも属す移動体機器にネットワークへのアクセスを許容するか、またはネットワークへのアクセスを制限するかを示す。種々のアクセスを制限する方法が提供される。１つの例は、移動体機器が通信を開始することを遮断し、ネットワークによる開始される通信を移動体機器に許可することである。別の例は、ネットワークにより開始する通信を移動体機器で行わないようにし、移動体機器が通信を開始することを許可することである。更なる例は、移動体機器が通信を開始することを遮断することと、ネットワークにより開始された通信を移動体機器が行わないようにすることである。ネットワークにより開始された通信が遮断される移動体機器にはネットワークからの呼出への応答が許可されない。
【０１１２】
本発明の本質的特徴から逸脱することなく、ここで具体的に説明したものとは別の方法で、本発明を実行することはもちろん可能である。この実施例は全ての点で、例示的であり制限的でないと考えるべきであり、添付された請求の範囲の意味およびその等価物の範囲内に入る全ての変更は請求の範囲に包含されることが意図されている。
【図１】
2013513993.tif 000002
【図２】
2013513993.tif 000003
【図３】
2013513993.tif 000004
【図４】
2013513993.tif 000005
【図６】
2013513993.tif 000006
【図７】
2013513993.tif 000007
【図８】
2013513993.tif 000008
【図５ａ】
2013513993.tif 000009
【図５ｂ】
2013513993.tif 000010
【図９】
2013513993.tif 000011
【国際調査報告】
2013513993.tif 000012
2013513993.tif 000013
2013513993.tif 000014